(57)【要約】【課題】シュレッダーでの紙切断時の騒音の発生を防ぐことを目的とし、特にカッターに細断用紙が噛み込まれる時に発生する紙のばたつきによる騒音の発生を防止すること。【解決手段】細断用紙Ｐの進行方向で、２本の細断刃１ａ，１ｂを対向させ相互に逆方向に回転するように構成したカッター１の手前側に、前記カッター１と並行に２本のローラー６，９を対向させ相互に逆方向に回転するように構成したテンション付与ローラー４を配設するとともに、前記テンション付与ローラー４の細断用紙送り速度を前記カッター１の細断用紙切断速度よりも遅くした。【選択図】  図２
2009119454.tif 000002
【特許請求の範囲】
【請求項１】
細断用紙の進行方向で、２本の細断刃を対向させ相互に逆方向に回転するように構成したカッターの手前側に、前記カッターと並行に２本のローラーを対向させ相互に逆方向に回転するように構成したテンション付与ローラーを配設するとともに、前記テンション付与ローラーの細断用紙送り速度を前記カッターの細断用紙切断速度よりも遅くしたことを特徴とするシュレッダー。
【請求項２】
前記テンション付与ローラーの細断用紙送り速度を、前記カッターの細断用紙切断速度の５０％〜９５％の速度とした請求項１に記載のシュレッダー。
【請求項３】
前記カッターと前記テンション付与ローラーの距離を、それぞれの外周面が最接近する位置で、１０ｍｍ〜５０ｍｍとした請求項１又は２に記載のシュレッダー。
【請求項４】
前記テンション付与ローラーは、駆動ローラーと従動ローラーにより構成し、前記駆動ローラーと前記従動ローラーの間隙を可変とし、前記従動ローラーは前記駆動ローラーに接する方向に付勢するとともに、一定距離以上は開かないようにストッパーを設けた請求項１乃至３の何れかに記載のシュレッダー。
【請求項５】
前記テンション付与ローラーに適宜間隔で回転方向に溝部を形成するとともに、紙排紙用爪をその先端が前記溝部内に位置するように前記テンション付与ローラーと前記カッターの間に配設した請求項１乃至４の何れかに記載のシュレッダー。
【請求項６】
前記テンション付与ローラーに適宜間隔で回転方向に前記溝部を形成するとともに、ペーパーガイドを前記テンション付与ローラーと前記カッターの間に設け、前記ペーパーガイドにその先端が前記溝部内に位置し前記紙排紙用爪として機能するリブを設けた請求項１乃至請求項５の何れかに記載のシュレッダー。
【請求項７】
前記テンション付与ローラーに形成した前記溝部は、対向する前記２本のローラーでその位置が一致している請求項５又は６に記載のシュレッダー。
【請求項８】
前記テンション付与ローラーに形成した前記溝部は、対向する前記２本のローラーでその位置がずれている請求項５又は６に記載のシュレッダー。
【発明の詳細な説明】
【技術分野】
【０００１】
本発明は、シュレッダーでの紙切断時の騒音の発生を防ぐことを目的としたものであり、特にカッターに紙が噛み込まれる時に発生する紙のばたつきによる騒音の発生を防止するようにしたものである。
【背景技術】
【０００２】
シュレッダーの紙細断時の騒音源としては、カッターにより紙を細断することにより発生する騒音と、カッターに紙が噛み込まれる時に発生する紙のばたつきによる騒音の二種類の音がある。
【０００３】
カッターにより紙を細断することにより発生する騒音が外部に漏れないようにしたものとしては、例えば特許文献１に示されるようなものがある。これは、紙切断用の細断刃の前方に吸音部材で形成した一対の搬送ローラーを設けたものである。
【０００４】
特許文献１に示されるものは、シュレッダー内部で発生する騒音が外部に漏れることをローラーで遮断するようにしている。また、細断刃での細断時の用紙の振動による騒音を低減することも目的としている。
【特許文献１】特開平９−２３４３８２号公報
【発明の開示】
【発明が解決しようとする課題】
【０００５】
しかし特許文献１に記載の方法は、吸音部材で形成したローラーで遮断することにより、騒音が外部に漏れないようにする多少の効果は認められるかもしれないが、カッターに紙が噛み込まれる時に発生する紙のばたつきによる騒音の防止には役立たない。
【０００６】
すなわち特許文献１に記載のように、２本のローラーの間隙を可変とせずローラーを変形量の大きい素材で形成し、ローラーを紙の細断刃への搬送のために単に使用したのでは、ローラーと細断刃の間に長く形成したガイド板を設けても、多少の紙の振動は防止できるかもしれないが、ガイド板の上で紙は遊ぶ余地があるので、紙が細断刃に噛み込まれる時に発生するばたつき音に対しては効果がない。さらに、特許文献１に記載のものは紙の挿入方向が水平方向に近いものにおいてはガイド板が多少の効果を発揮するかもしれないが、紙の挿入方向が垂直方向のものについては全く効果がない。
【０００７】
そこで本願発明者が鋭意研究した結果、カッターに紙が噛み込まれる時に発生する紙のばたつきによる騒音を防止するためには、カッターに紙が噛み込まれる時に、紙に遊びがなくピンと張った状態、すなわちローラーで挟持してテンションをかけたような状態を維持するようにすることが効果的であることを見い出した。このような状態（紙に常にテンションがかかっている状態）を維持することにより、カッターに紙が噛み込まれる時に紙がばたつかなくなるのである。
【０００８】
一方、紙にテンションを付与するために紙をローラーで挟持した場合に、紙がカールしていても紙がローラーに巻き付かずカッターに確実に送られるような構造にする必要があることがわかった。すなわち、巻き癖のついている紙の場合、ローラーで挟持して紙を送ろうとすると、一方のローラーに簡単に巻き付いてしまい、紙がカッターに送られない現象が生じてしまうのである。
【０００９】
本発明は、このような問題点を解決するためになされたものであり、その目的とするところは、カッターに紙が噛み込まれる時に発生する紙のばたつきによる騒音の発生を防止したシュレッダーを提供することである。
【００１０】
また紙がカールしていても、カールした紙がローラーに巻き付かないで、カッターに紙が確実に送られるようにしたシュレッダーを提供することである。
【課題を解決するための手段】
【００１１】
上記の目的を達成するために、本発明のシュレッダーは細断用紙の進行方向で、２本の細断刃を対向させ相互に逆方向に回転するように構成したカッターの手前側に、前記カッターと並行に２本のローラーを対向させ相互に逆方向に回転するように構成したテンション付与ローラーを配設するとともに、前記テンション付与ローラーの細断用紙送り速度を前記カッターの細断用紙切断速度よりも遅くしたものである。
【００１２】
また、本発明の別の態様は、前記発明に加えて前記テンション付与ローラーの細断用紙送り速度を、前記カッターの細断用紙切断速度の５０％〜９５％の速度としたものである。
【００１３】
また、本発明の別の態様は、前記発明に加えて前記テンション付与ローラーと前記カッターの距離を、それぞれの外周面が最接近する位置で、１０ｍｍ〜５０ｍｍとしたものである。
【００１４】
また、本発明の別の態様は、前記発明に加えて前記テンション付与ローラーは、駆動ローラーと従動ローラーにより構成し、前記駆動ローラーと前記従動ローラーの間隙を可変とし、前記従動ローラーは前記駆動ローラーに接する方向に付勢するとともに、一定距離以上は開かないようにストッパーを設けたものである。
【００１５】
また、本発明の別の態様は、前記発明に加えて前記テンション付与ローラーに適宜間隔で回転方向に溝部を形成するとともに、紙排紙用爪をその先端が前記溝部内に位置するように前記テンション付与ローラーと前記カッターの間に配設したものである。
【００１６】
また、本発明の別の態様は、前記発明に加えて前記テンション付与ローラーに適宜間隔で回転方向に前記溝部を形成するとともに、ペーパーガイドを前記テンション付与ローラーと前記カッターの間に設け、前記ペーパーガイドにその先端が前記溝部内に位置し前記紙排紙用爪として機能するリブを設けたものである。
【００１７】
また、本発明の別の態様は、前記発明に加えて前記テンション付与ローラーに形成した前記溝部は、対向する前記２本のローラーでその位置を一致させたものである。
【００１８】
また、本発明の別の態様は、前記発明に加えて前記テンション付与ローラーに形成した前記溝部は、対向する前記２本のローラーでその位置をずらしたものである。
【発明の効果】
【００１９】
カッターに紙が噛み込まれる時に、紙に遊びがなくピンと張った状態、すなわちテンションをかけたような状態を維持するようにしたので、カッターに紙が噛み込まれる時に発生する紙のばたつきによる騒音の発生を防止できる。
【００２０】
また、カールした紙がテンション付与ローラーと一緒に回転して巻き付きそうになっても、ローラーの溝部内にその先端が位置している紙排紙用爪により巻き付きそうになった紙はローラーから剥ぎ取られ、そのままローラーに巻き付くことが防止される。
【発明を実施するための最良の形態】
【００２１】
本発明のシュレッダーの実施の形態について説明する。
細断用紙の進行方向で、２本の細断刃を対向させ相互に逆方向に回転するように構成したカッターの手前側に、前記カッターと並行に２本のローラーを対向させ相互に逆方向に回転するように構成したテンション付与ローラーを配設する。そして、テンション付与ローラーの細断用紙送り速度を前記カッターの細断用紙切断速度よりも遅くする。
【００２２】
テンション付与ローラーの用紙送り速度をカッターの用紙切断速度よりも遅くすることにより、カッターへは細断用紙がローラー側から引っ張られた状態で、すなわちテンションがかかった状態で進むことになる。また、カッターとテンション付与ローラーを並行に配置することにより、細断用紙は捻じれることなく同一平面上で進行する。よって、細断用紙はローラーとカッターの間ではばたつく遊びがないので、ばたつきに起因する騒音の発生を防止できる。また、ローラーでは細断用紙は均一に押圧されながら移動するので、細断用紙はローラー入口においてばたつくことはなく、ローラー挿入前においては騒音は発生しない。
【００２３】
また、好ましくはテンション付与ローラーの細断用紙送り速度を、カッターの細断用紙切断速度の５０％〜９５％の速度とする。テンション付与ローラーを回転させる目的の一つは、カッターへ細断用紙を送り込むためである。また、細断用紙がカッターに噛み込まれたのちは、細断用紙はカッターの回転により移動することになるが、テンション付与ローラーがこの時に全く回転しないのでは細断用紙に加わるテンションが強くなり過ぎるおそれがあるからである。
【００２４】
カッターに挿入される細断用紙は、テンション付与ローラーにより引っ張られた状態で移動する必要がある。両者の速度差が少なすぎると十分なテンションを細断用紙に対して与えることができない。また、両者の速度差が大きすぎると、細断用紙が少なかったり薄い場合には、細断用紙が破損したりする不都合がある。なお、この速度差は一度に細断する細断用紙の枚数や細断用紙の大きさにより適宜選択すればよい。なお、通常は両者の速度差が１０％〜３０％程度あればよい。
【００２５】
また、好ましくはカッターとテンション付与ローラーの距離を、それぞれの外周面が最接近する位置で、１０ｍｍ〜５０ｍｍとする。
【００２６】
カッターに対し細断用紙に程よいテンションを与えるために必要な距離である。これより長すぎると細断用紙に対し十分なテンションを保持できない。また、細断用紙がローラーで挟持しなくなってからカッターに達するまでの時間が長くなり過ぎ、この間に発生することが避けられないばたつき音の発生時間が長くなり過ぎる。一方、これより短いと細断用紙はばたつかないが、ローラーからカッターの間での細断用紙の変形量が大きくなり過ぎ、カッターが細断用紙を噛み込んで細断する時に発生する音が大きくなり、結果として全体の騒音防止に寄与しないことになる。なお、この距離はカッターやローラーの直径や細断枚数により異なるが、通常は３０ｍｍ〜４５ｍｍ程度が適当である。
【００２７】
また、好ましくはテンション付与ローラーは、駆動ローラーと従動ローラーにより構成し、駆動ローラーと従動ローラーの間隙を可変とする。そして、従動ローラーは駆動ローラーに接する方向に付勢するとともに、一定距離以上は開かないようにストッパーを設ける。
【００２８】
枚数に関係なく細断用紙を駆動ローラーと従動ローラーで挟持できるようにし、細断用紙がカッターに対し常にテンションを保持されるようにするためである。また、一定距離以上は開かないようにすることにより、定格枚数以上の細断用紙のカッターへの挿入を防止できることになる。また、異物の誤挿入の防止効果もある。
【００２９】
また、好ましくはテンション付与ローラーに適宜間隔で回転方向に溝部を形成するとともに、紙排紙用爪をその先端が溝部内に位置するようにテンション付与ローラーとカッターの間に配設する。
【００３０】
テンション付与ローラーに細断用紙が巻き付くことを防止するためである。紙排紙用爪の先端がローラーの溝部内に位置することにより、もしも細断用紙がローラーに巻き付いて回転しようとしても、この紙排紙用爪により細断用紙は強制的にローラーから剥がされてカッターに送られ、細断用紙がローラーに巻き付いてしまうことが防止される。
【００３１】
また、好ましくはテンション付与ローラーに適宜間隔で回転方向に溝部を形成するとともに、ペーパーガイドをカッターとテンション付与ローラーの間に設け、ペーパーガイドにその先端が溝部内に位置し紙排紙用爪として機能するリブを設ける。
【００３２】
ペーパーガイドにリブを形成し、このリブの先端がローラーの溝部内に位置するようにすることにより、リブが紙排紙用爪として機能する。また、ぺーパーガイドの存在により細断用紙はスムーズにカッターに送られる。
【００３３】
また、好ましくはテンション付与ローラーに形成した溝部は、対向する前記２本のローラーでその位置を一致させる。
【００３４】
対向する２本のローラーの溝部の位置を一致させることにより、溝部の位置において細断用紙は変形が容易となるため、紙排紙用爪でのローラーからの巻き付いている紙の剥離がし易くなる。
【００３５】
また、好ましくはテンション付与ローラーに形成した溝部は、対向する前記２本のローラーでその位置をずらす。
【００３６】
対向する２本のローラーの位置をずらすことにより、細断用紙は常時少なくとも一面はローラーに接することとなり、細断用紙全体に均一のテンションをかけ易くなる。
【実施例１】
【００３７】
次に本発明のシュレッダーの一実施例を、図１〜図４に基づいて説明する。図１は本発明のシュレッダーの細断機構部の斜視図であり、図２は図１のカッターケースと駆動ギアを取り外した状態の斜視図である。図３は図１の前端軸ケースの拡大斜視図であり、図４は図１の後端軸ケースの拡大斜視図である。
【００３８】
カッター１は対向させて配置した２本の細断刃１ａ，１ｂによって構成され、駆動用モーター２により図１に示すように、数段の減速ギアを経て細断刃１ａの回転軸に取り付けた駆動ギア３により、細断刃１ａと細断刃１ｂは相互に逆方向に回転するようになっている。また、図１に示すようにカッター１は通常はカッターケースＣによりカバーされている。なお、細断刃１ａ，１ｂとしてはその大きさや構造に格別の制限はなく、シュレッダーに通常使用されているものであれば使用可能であり、また細断幅や細断長等も任意のものが選択可能である。
【００３９】
そして、図２に示すように、カッター１の上方（図２に矢印で示す細断用紙Ｐの進行方向においてカッター１の手前側）には、２本のローラーを対向させて配置したテンション付与ローラー４が、カッター１に並行に配設してある。すなわち、カッター１に対しテンション付与ローラー４が並行というのは、テンション付与ローラー４での細断用紙Ｐの通過方向と、カッター１での細断用紙Ｐの通過方向が、紙が捻じれることなく同一平面上となるように両者が配置されている状態であることを意味する。
【００４０】
また、テンション付与ローラー４は、例えばエチレン・プロピレンゴム（ＥＰＤＭ）で形成するが、多少の弾力性を有していればその他の材料でも可能である。但し、あまり柔らか過ぎるものは十分なテンションを細断用紙Ｐに対し保持できないので適さない。本発明のテンション付与ローラー４は吸音材のように単に隙間を塞ぐことを目的としているのではなく、細断用紙Ｐを一定圧力以上で挟持することを目的としているので、スポンジのように柔らかくて変形能力の大きいものでは本発明の目的を達成できない。
【００４１】
また、テンション付与ローラー４は、カッター１の一方の細断刃１ａの回転軸に駆動ギア３と同軸に取り付けた駆動プーリー５と、テンション付与ローラー４の駆動ローラー６に取り付けた被駆動プーリー７の間に巻回した丸ベルト８により駆動されるようになっている。なお、図示した例では駆動プーリー５に対し被駆動プーリー７の直径は小さめとなっているが、カッター１の直径に比べテンション付与ローラー４の直径は小さく、結果としてはテンション付与ローラー４による細断用紙Ｐの移動速度はカッター１による細断速度（移動速度）よりも遅くなるようにしてある。
【００４２】
テンション付与ローラー４をギア駆動ではなく丸ベルト８により行うのは、丸ベルト８が適当にスリップすることにより、カッター１とテンション付与ローラー４との間で細断用紙Ｐにテンションを適宜自動的に調節しながら加えることができるようにするためである。また、もしも、テンション付与ローラー４に過大な力が作用した場合には、駆動用モーター２は停止しなくても丸ベルト８がスリップすることにより駆動ローラー６の回転が停止する。なお、丸ベルト８に代えＶベルトでもよいが、ベルトとプーリーの間で多少のスリップを確保する意味で段付Ｖベルトはあまり適さない。
【００４３】
また、カッター１とテンション付与ローラー４の距離を、それぞれの外周面が最接近する位置で、３０ｍｍ〜４５ｍｍ程度とする。細断枚数にもよるが、基本的には両者の直径の和と差の間に設定すると最適値が見出される。なお、実験によるとカッター１の直径が４０ｍｍでテンション付与ローラー４の直径が２０ｍｍの場合でＡ４用紙６枚を同時に細断した場合、この距離は５０ｍｍ〜６０ｍｍの範囲がばたつき音の発生が最低となり最適であった。また、シュレッダーの騒音は紙を１枚だけ切ったときが一番大きいので、１枚だけ切った時の騒音を基準に、この距離は設定すればよい。
【００４４】
そして、テンション付与ローラー４は、駆動ローラー６と従動ローラー９により構成する。そして駆動ローラー６と従動ローラー９の間隙を可変とする。例えば図示した例では従動ローラー９を可変としてある。従動ローラー９の軸受け１０は軸受けケース１１に対し摺動可能となっている。そして、従動ローラー９はバネ１２により駆動ローラー６に接する方向に付勢してある。また、軸受け１０は軸受けケース１１に設けたストッパー１３に当接して一定距離以上は開かないようになっている。
【００４５】
次にストッパー１３の具体例を図３と図４に基づいて説明する。
図３は図１の前端軸ケース１４の拡大斜視図である。軸受けケース１１に対し従動ローラー９の軸受け１０が図において左右に摺動できるようになっている。また、軸受けケース１１の一端と軸受け１０の間にはバネ１２が張設してあり従動ローラー９が駆動ローラー６側へ移動するように付勢されている。そして、軸受け１１は一定距離移動すると軸受けケース１１に形成したストッパー１３にその一端が当接し、それ以上移動しないようになっている。
【００４６】
図４は図１の後端軸ケース１５の拡大斜視図である。軸受けケース１１に対し従動ローラー９の軸受け１０が図において左右に摺動できるようになっている。また、軸受けケース１１の一端と軸受け１０の間にはバネ１２が張設してあり従動ローラー９が駆動ローラー６側へ移動するように付勢されている。軸受けケース１１には軸受け１０に向け、軸受け１０の摺動方向にその長さが調節可能な押しネジ１６が取り付けてあり、軸受けケース１１に突出させて形成したストッパー１３と当接するようになっている。押しネジ１６の長さを調節することにより従動ローラー９の移動範囲を調節できる。
【００４７】
なお、バネ１２により従動ローラー９を駆動ローラー６側へ押圧する力は、片側につき３００ｇ〜６００ｇ程度の荷重でもって押し付けるのが望ましい。３００ｇより弱いと、細断用紙を確実に保持することができずばたつきが生じ、騒音防止の効果が低くなる。一方、６００ｇより強いと、細断用紙が両ローラーにより完全に滑らずに挟持されてしまい、丸ベルト８のスリップが過大となる。細断する枚数やローラーの長さにもよるが、片側につき５００ｇ前後が最適値となりやすい。
【００４８】
なお、上記説明はシュレッダーの細断機構部についてのみ説明したが、細断用紙Ｐの進行方向でテンション付与ローラー４の手前側には、細断用紙Ｐの投入口を設ける。また、カッターの先には、細断した紙を溜めるダストケースを設ける。これらは従来のシュレッダーと同様である。また、細断用紙Ｐの投入口を設けず、直接テンション付与ローラー４に細断用紙Ｐを挿入するようにしてもよい。
【００４９】
次に、本実施例のシュレッダーの作用について説明する。
シュレッダーのスイッチを入れ駆動モーター２を回転させ、カッター１とテンション付与ローラー４を回転させる。カッター１の直径に比べテンション付与ローラー４の直径が小さいので、テンション付与ローラー４による細断用紙Ｐの移動速度はカッター１による細断速度（移動速度）よりも遅い。
【００５０】
この状態で細断用紙Ｐを図示しないシュレッダーの投入口から挿入すると、細断用紙Ｐの先端がテンション付与ローラー４に達すると、細断用紙Ｐはテンション付与ローラー４の回転力によりカッター１に向かって移動させられる。そして、細断用紙Ｐの先端がカッター１に達すると、細断用紙Ｐはカッター１に噛み込まれるようにして細断されながら図示しないダストケースに落下する。
【００５１】
このカッター１による細断過程において、テンション付与ローラー４からカッター１に向かう細断用紙Ｐは、カッター１での細断速度の方よりテンション付与ローラー４による移動速度の方が遅いので、細断用紙Ｐはテンション付与ローラー４により引っ張られながら、カッター１に噛み込まれるようにして移動する。すなわち、細断用紙Ｐには常にテンションが働いている状態となる。したがって、カッター１に細断用紙Ｐが噛み込まれる時に細断用紙Ｐがばたつかず、ばたつき音の発生を防止できることになる。
【００５２】
また、駆動ローラー６と従動ローラー９の間隙を可変とするとともに、従動ローラー９を駆動ローラー６方向にバネ１２で付勢するようにしてあるので、細断用紙Ｐの枚数が変更された場合でも、テンション付与ローラー４に挿入される細断用紙Ｐを適当な圧力により挟持することができ、よってカッター１による細断時に、所望のテンションを細断用紙Ｐに加えることができる。
【００５３】
また、従動ローラー９はストッパー１３により駆動ローラー６に対して一定間隔以上は開かないので、定格枚数以上の細断用紙Ｐがカッター１に挿入されることがない。さらに、従動ローラー９は丸ベルト８により駆動しているので、駆動ローラー９に過大な力が働いた時には、丸ベルト８がスリップすることにより駆動ローラー９が停止し、安全が確保される。
【実施例２】
【００５４】
次に本発明のシュレッダーの他の実施例を、図５〜図８に基づいて説明する。図５は本発明のシュレッダーの細断機構部の斜視図であり、図６は図５のテンション付与ローラーを取り外した状態の斜視図である。図７は図５のＡ−Ａ線の斜視図であり、図８は図５のＡ−Ａ線の断面図である。
なお、本実施例はテンション付与ローラー４に溝部を形成したものであり、基本的には実施例１と同じであるので相違する部分についてのみ説明する。
【００５５】
テンション付与ローラー４には適宜間隔をおいて回転方向に溝部１７が形成してある。溝部１７の大きさと間隔は、細断対象とする細断用紙Ｐの材質や枚数や紙幅などにより一概にはいえないが、例えばスーパーやコンビニなどで一般的に使用されているレシートを細断対象とする場合は、溝部１７の幅を５ｍｍとし、相隣接する溝部１７で挟まれるローラー部１８の幅を２０ｍｍとする。すなわち、細断時に細断用紙Ｐのいずれかの箇所が溝部１７に位置するようになっていればよい。なお、対向する２本のローラー６，９に形成する溝部１７の位置は図示するように一致していても、あるいはずれていてもどちらでもよい。
【００５６】
テンション付与ローラー４とカッター１の間には、ペーパーガイド１９が設けてある。ペーパーガイド１９は図７及び図８に示すように、その下端はカッター１に臨むとともに、その上端はテンション付与ローラー４を囲うようになっており、細断用紙Ｐがカッター１に向けてスムーズに進むように斜めに形成してある。そして、ペーパーガイド１９にはリブ（紙排紙用爪）２０が形成してある。リブ２０は紙排紙用爪として機能するものであり、その先端２１は溝部１７内に位置するようになっている。ペーパーガイド１９をプラスチックで成形する場合には、リブ２０も同時に一体成形することができる。リブ２０の幅（厚み）は溝部１７の幅よりも小さければよいことになるが、紙排紙用爪として機能させるためには例えば１ｍｍの幅があればよい。
【００５７】
次に、本実施例のシュレッダーの作用について説明する。基本的には上記実施例１と同じなので、相違する部分についてのみ説明する。
シュレッダーのスイッチを入れ駆動モーター２を回転させ、カッター１とテンション付与ローラー４を回転させる。
この状態で細断用紙Ｐを図示しないシュレッダーの投入口から挿入すると、細断用紙Ｐの先端がテンション付与ローラー４に達すると、細断用紙Ｐはテンション付与ローラー４の回転力によりカッター１に向かって移動させられる。
【００５８】
もしもカールした（巻き癖がついた）細断用紙Ｐを投入すると、図８に示すように一方のテンション付与ローラー４に細断用紙Ｐが一点鎖線で示すように巻き付いてしまう。しかし、テンション付与ローラー４には溝部１７が形成してあるとともに、ペーパーガイド１９には溝部１７内にその先端２１が位置するようにリブ２０が形成してあるので、細断用紙Ｐがテンション付与ローラー４に巻き付いて回転していっても、リブ（紙排紙用爪）２０により細断用紙Ｐはテンション付与ローラー４から強制的に剥ぎ取られる。そして、テンション付与ローラー４から剥がされた細断用紙Ｐはペーパーガイド１９に沿ってカッター１方向へ移動し、細断用紙Ｐの先端がカッター１に達すると、細断用紙Ｐはカッター１に噛み込まれるようにして細断されながら図示しないダストケースに落下する。
【００５９】
なお、図示した実施例では紙排紙用爪２０をペーパーガイド１９にリブ状に一体成形したものを示したが、紙排紙用爪２０は少なくともその先端２１が溝部１７内に位置し、テンション付与ローラー４に巻き付いて回転してくる細断用紙Ｐをテンション付与ローラー４から剥がすように機能すれば、その形状や材質や配設位置は適宜選択可能である。また、紙排紙用爪２０の先端２１をテンション付与ローラー４の溝部１７に対して配設する位置は、テンション付与ローラー４から剥がされた細断用紙Ｐがカッター１へスムーズに進行するようにするために、２本のテンション付与ローラー４の接触部とテンション付与ローラー４がカッター１と最接近する箇所の間に設けることが望ましい。
【産業上の利用可能性】
【００６０】
本発明のシュレッダーは、２本の細断刃を対向させたカッターにより細断を行うようにしたものであればよく、シュレッダーの大きさに制限はなく大型のものでも小型のものでも可能であり、また紙の進行方向も垂直方向に挿入するものでも水平方向に挿入するものであっても、どちらの向きでも細断用紙にテンションを加えることができ、極めてその適用範囲は広い。
【００６１】
また、テンション付与ローラーに巻き付いて回転する細断用紙をローラーから強制的剥離できるので、細断用紙がカールしていてもそのままの状態で使用可能であり、さらに溝部の間隔を適宜選択することにより各種幅の細断用紙に対しても広く対応可能である。
【図面の簡単な説明】
【００６２】
【図１】本発明のシュレッダーの細断機構部の斜視図である。
【図２】図１のカッターケースと駆動ギアを取り外した状態の斜視図である。
【図３】図１の前端軸ケースの拡大斜視図である。
【図４】図１の後端軸ケースの拡大斜視図である。
【図５】本発明のシュレッダーの細断機構部の他例を示す斜視図である。
【図６】図５のテンション付与ローラーを取り外した状態の斜視図である。
【図７】図５のＡ−Ａ線の斜視図である。
【図８】図５のＡ−Ａ線の断面図である。
【符号の説明】
【００６３】
１            カッター
１ａ，１ｂ    細断刃
２            駆動モーター
３            減速ギア
４            テンション付与ローラー
５            駆動プーリー
６            駆動ローラー
７            被駆動プーリー
８            丸ベルト
９            従動ローラー
１０            軸受け
１１            軸受けケース
１２            バネ
１３            ストッパー
１４            前端軸ケース
１５            後端軸ケース
１６            押しネジ
１７            溝部
１８            ローラー部
１９            ペーパーガイド
２０            リブ（紙排紙用爪）
２１            先端
Ｐ            細断用紙
Ｃ            カッターケース
【図１】
2009119454.tif 000003
【図２】
2009119454.tif 000004
【図３】
2009119454.tif 000005
【図４】
2009119454.tif 000006
【図５】
2009119454.tif 000007
【図６】
2009119454.tif 000008
【図７】
2009119454.tif 000009
【図８】
2009119454.tif 000010